(57)【要約】対応する物理アドレス位置にある記録担体上の論理アドレスに情報ブロックを記録する装置が提供される。例えば欠陥管理のため、ある物理アドレスに当初位置付けられた論理アドレスを再マッピング領域（55）内の代替物理アドレスに翻訳したことを指し示す再マッピング情報（57、63）に応じて、論理アドレスが物理アドレスに翻訳される。この装置は、ユーザデータの記録と別個の領域への付加データの記録とに対応する２つのアドレスモードで動作可能である。この装置は、ユーザ領域（53）にデータを格納するアドレスモードを維持したままで付加データ（54、62）を格納する記憶手段を有しており、この記憶手段は付加データに付加データ物理アドレスを割当て、付加データ物理アドレスがユーザデータの格納に利用できないことを指し示すように再マッピング情報（57、63）を適合させ、且つ付加データを付加データ物理アドレスに直接的に記録するように構成されている。
2008505425.tif 000002
【特許請求の範囲】
【請求項１】
論理アドレスを有するブロックの情報を、着脱可能な書換え可能記録担体のユーザ領域内に記録する装置であって、
−  情報を表すマークを前記記録担体のトラックに記録する記録手段、並びに
−  各ブロックを前記トラックの物理アドレスに位置付けることにより前記記録を制御する制御手段であり、
−  再マッピング情報に応じて、前記論理アドレスの前記物理アドレスへの翻訳及びその逆の翻訳を行うアドレス手段、
−  少なくとも１つの再マッピング領域に関する、前記ユーザ領域内の或る物理アドレスに当初位置付けられた論理アドレスを前記少なくとも１つの再マッピング領域内の代替物理アドレスに翻訳したことを指し示す、前記再マッピング情報を管理する再マッピング手段、及び
−  付加データを格納する記憶手段であり、
−  付加データに付加データ物理アドレスを割当て、前記付加データ物理アドレスがユーザデータの格納に利用できないことを指し示すように前記再マッピング情報を適合させ、且つ
−  前記付加データを前記付加データ物理アドレスに前記翻訳なしで直接的に書き込む、
ように構成された記憶手段、
を有する制御手段、
を有する装置。
【請求項２】
前記記憶手段がファイルシステムデータを格納するためのものである請求項１に記載の装置。
【請求項３】
前記記憶手段が前記付加データ物理アドレスを前記少なくとも１つの再マッピング領域内の空き物理アドレスに割り当て、且つ前記空き物理アドレスが再マッピングに利用不可能であることを指し示すように前記再マッピング情報を適合させるように構成されている請求項１に記載の装置。
【請求項４】
前記記憶手段が前記付加データ物理アドレスを前記ユーザ領域内の空き論理アドレスに割り当て、且つ前記空き論理アドレスに対応する物理アドレスが再マッピングを必要とすることを指し示すように前記再マッピング情報を適合させるように構成されている請求項１に記載の装置。
【請求項５】
前記適合された再マッピング情報が、前記空き論理アドレスに対応する付加データ物理アドレスにある欠陥を指し示す請求項４に記載の装置。
【請求項６】
前記記憶手段が、負の番号によって前記付加データ物理アドレスを表すパラメータを有する書き込み命令に応じて、前記付加データを前記付加データ物理アドレスに書き込むように構成されている請求項１に記載の装置。
【請求項７】
前記記憶手段が、ストリーミング書き込み命令に応じて、前記付加データを前記付加データ物理アドレスに書き込むように構成されている請求項１に記載の装置。
【請求項８】
前記再マッピング手段が、欠陥を有する物理アドレスを該欠陥の物理アドレスにあるブロックのコンテンツを含むための代替物理アドレスに再マッピングすることにより、前記ユーザ領域内での欠陥管理を実行するように構成されている請求項１に記載の装置。
【請求項９】
論理アドレスを有するブロックの情報を、着脱可能な書換え可能記録担体のユーザ領域内に記録することに使用する付加情報を格納する方法であって、前記記録することが、
−  各ブロックを前記記録担体のトラックの物理アドレスに位置付けるステップ、
−  再マッピング情報に応じて、前記論理アドレスの前記物理アドレスへの翻訳及びその逆の翻訳を行うステップ、及び
−  少なくとも１つの再マッピング領域に関する、前記ユーザ領域内の或る物理アドレスに当初位置付けられた論理アドレスを代替物理アドレスに翻訳したことを指し示す、前記再マッピング情報を管理するステップ、
を有し、当該方法が、
−  付加情報に付加情報物理アドレスを割当て、且つ前記付加情報物理アドレスがユーザデータの格納に利用できないことを指し示すように前記再マッピング情報を適合させるステップ、及び
−  前記付加情報を前記付加情報物理アドレスに前記翻訳なしで直接的に書き込むステップ、
を有する方法。
【請求項１０】
前記付加情報がファイルシステムデータである請求項９に記載の方法。
【請求項１１】
前記付加情報物理アドレスが前記少なくとも１つの再マッピング領域内の空き物理アドレスに割り当てられ、且つ前記再マッピング情報が前記空き物理アドレスが再マッピングに利用不可能であることを指し示すように適合される請求項９に記載の方法。
【請求項１２】
前記付加情報物理アドレスが前記ユーザ領域内の空き論理アドレスに割り当てられ、且つ前記再マッピング情報が、前記空き論理アドレスに対応する物理アドレスが再マッピングを必要とすることを指し示すように適合される請求項９に記載の方法。
【請求項１３】
前記適合された再マッピング情報が、前記空き論理アドレスに対応する付加情報物理アドレスにある欠陥を指し示す請求項１２に記載の方法。
【請求項１４】
前記付加情報が、負の番号によって前記付加情報物理アドレスを表すパラメータを有する書き込み命令に応じて、前記付加情報物理アドレスに書き込まれる請求項９に記載の方法。
【請求項１５】
前記付加情報が、ストリーミング書き込み命令に応じて、前記付加情報物理アドレスに書き込まれる請求項９に記載の方法。
【請求項１６】
欠陥を有する物理アドレスを該欠陥の物理アドレスにあるブロックのコンテンツを含むための代替物理アドレスに再マッピングすることにより、前記ユーザ領域内での欠陥管理を実行するステップを有する請求項９に記載の方法。
【請求項１７】
情報を記録する際に使用する付加情報を格納するコンピュータプログラムであって、プロセッサに請求項９乃至１６の何れかに記載の方法を実行させるように作用するプログラム。
【発明の詳細な説明】
【技術分野】
【０００１】
本発明は、論理アドレスを有するブロックの情報を記録担体のユーザ領域に記録する装置に関し、当該装置は情報を表すマークを記録担体のトラックに記録する記録手段を有する。
【０００２】
本発明はまた、論理アドレスを有するブロックの情報をユーザ領域に記録する際に使用する付加情報を格納する方法に関する。
【０００３】
本発明はさらに、情報を記録する際に使用する付加情報を格納するコンピュータプログラムに関する。
【背景技術】
【０００４】
光ディスク（ＤＶＤ＋ＲＷ、Ｂｌｕ−Ｒａｙ等）のような記録媒体は異なる種類の多量のデータを格納することができる。これらは記録媒体上のデータ編成に関して固有の要求を有する相異なる環境で使用可能である。一般に、データは特定のファイルシステムの規則に従ってファイルに編成される。上記ファイルシステムはそれ自身のファイルシステムデータを有し、このファイルシステムデータは記録媒体に格納されたユーザデータに関するあらゆる種類の構造についての情報を含んでいる。具体的には、ファイルシステムデータは論理及び／又は物理ボリュームの構造を表すボリューム構造、データを含むファイルの構造を表すファイル構造、ファイルのグルーピングを記述するディレクトリ構造、記録媒体にデータを格納するための割当空間又は未割当空間を表す空間ビットマップを含み得る。記録媒体はデータを格納するためのアドレス可能な記録ユニットを有し得る。ファイルシステムレベルで、これらのユニットは、例えばＵＤＦ等のファイルシステムの制御下にある（規則に従った）ファイル等の情報ブロックの系列を格納するために使用される連続的なアドレッシング（記憶）空間を定める論理アドレスを用いて参照される。記録媒体を区分化することにより、ファイルシステムの制御下で（規則に従って）データを格納するために媒体上の空間が割り当てられる。
【０００５】
現在、例えば、ＤＶＤ＋ＲＷディスクは家庭用電子（ＣＥ）機器によって、またパーソナルコンピュータ（ＰＣ）環境において使用されている。ＣＥ環境ではＤＶＤ＋ＲＷディスクは、主として、デジタルビデオ情報をＤＶＤビデオレコーディング（ＤＶＤ＋ＶＲ）のような固有のフォーマットに従って記録するために使用されている。これが意味することは、定義された固有の割当て規則と、ビデオ情報自体及び例えばタイトル情報、メニュー構造等の上記ビデオ情報に関する情報を含むファイルセットとが存在するということである。例えば、ＤＶＤ＋ＶＲフォーマットでは、幾つかの（ファイルシステム）ポインタは固定アドレス位置に置かれており、また、ある一定のファイルは固定アドレスから始まる。その次に、ファイルの（所定）リストが物理的に媒体上に或る特定の順序になっていなければならない。
【０００６】
ＰＣ環境は異なる考え方に基づいている。原則として、割当て要求は存在しない。特定のアプリケーションはある特定のディレクトリに幾つかのファイルが存在することを要求する場合がある。また、特定のアプリケーションは一般に、情報をファイルに格納したり情報をファイルから取り出したりするために、それら自身のデータフォーマットを有する。これが意味することは、媒体上に利用可能な空き空間が存在する限り、あらゆる種類の異なるアプリケーションから、この媒体にデータファイルを追加することが可能であるということである。一例として、マルチメディアファイル、テキストファイル、及び実行ファイルが互いにごちゃ混ぜにされて単一のディスク上に存在し得る。
【０００７】
最近、ビデオ再生機／録画機のようなますます多くのＣＥ機器が、ディスク上のファイルシステム情報を介して、これらの機器がうまく処理可能な特定種類のファイルを探索する能力を有するに至っている。このようなファイルの例は（主として）ＪＰＥＧファイルであり、ＭＰ３ファイルもますます増えてきている。将来的には恐らく一層多くの種類のマルチメディアファイルがＣＥの世界でサポートされるであろう。次に、ＰＣと家庭用電子機器との間でのデジタルコンテンツの移動を容易にすることを目的とした、メタデータに関する新たな規格（例えば、ＭＰＶ又はＨｉｇｈＭＡＴ等）が創設されている。
【０００８】
特許文献１には、例えばＣＤ−ＲＷディスク等の書換え可能媒体の初期化、フォーマット及び欠陥管理が可能な機器が開示されている。これは、ＣＤ−ＲＷを大容量のフロッピー（登録商標）ディスクとして使用することを容易にし、それにより、即座のファイル書き込み又は読み出しを可能にするために行われている。このような媒体は一般にマウントレーニア書換え可能ＭＲＷ媒体、例えばＣＤ−ＭＲＷ、ＤＶＤ＋ＭＲＷ、と呼ばれている。
【０００９】
機器は、光ディスク上の論理アドレスを有する情報ブロック内の情報を、割り当てられた物理アドレス位置にあるトラックに記録する記録手段を有している。論理アドレスは連続的な格納空間を構成している。実際には、記録担体はトラックの欠陥箇所、特に、ブロックが記録されるのを特定の物理アドレスで妨げる欠陥、を提示してもよい。これらの欠陥は、傷、ほこり、指紋などに起因し得る。当初、何らかのユーザデータが記録される前に欠陥が検出され、欠陥セクタの物理アドレスが欠陥テーブル内で使用から除外される。この処理は通常、スリッピング（slipping）と呼ばれる。処理記録担体の使用中に検出される欠陥事象にて、ユーザ領域ＵＡ内の欠陥物理アドレスに割り当てられた論理アドレスは、スペア領域ＳＡとも呼ばれる欠陥管理領域内の異なる物理アドレスに割り当てられる。この処理は通常、再マッピング又は線形置換と呼ばれる。
【００１０】
さらに、上記機器は、その他の機器によって使用されるファイルシステムのファイルシステムデータ等の付加データを格納する、一般アプリケーション領域ＧＡＡと呼ばれる記録媒体の特別な部分を割り当てることを可能にしている。これにより、このような記録媒体すなわち所謂“ブリッジ媒体”を、例えばＣＥ環境及びＰＣ環境間などの異なる環境間で共有することが容易にされている。ＤＶＤ＋ＭＲＷ媒体の場合、ＧＡＡは2Mバイトの大きさを有している。
【００１１】
公知の機器は２つのモードで動作可能である。通常モードでは、ユーザデータはユーザエリアに対してはそこから読み出されたり、そこに書き込まれたりすることができるが、ＧＡＡに対してはできない。特別モードすなわちＧＡＡモードでは、一般アプリケーション領域に対しては付加データをそこから読み出したり、そこに書き込んだりできるが、ＵＡに対してはできない。再マッピングは通常モードで適用される。
【００１２】
ＰＣ環境では、ブリッジ媒体にデータを付加する最も適当な方法は“ドラッグアンドドロップ”技術による。ＰＣ上で動作する整合（compliance）（ブリッジ）アプリケーションの使用を介して、ユーザは媒体を遺産的再生機（レガシープレーヤ）と互換性あるものにすることが可能である。基本的に、ブリッジアプリケーションは“ＣＥブリッジ”と呼ばれる第２のファイルシステムデータを、適したファイルシステムとコンテンツポインタとを用いて媒体に書き込んで、遺産的“非ＭＲＷ”システムが該システムの主ファイルシステムの下でこれらをコンテンツとして解釈できるようにする。ＣＥプレーヤは、結果として、このファイルシステムデータに適したコンテンツ復号器を有し、このファイルシステムデータによって参照されるコンテンツを再生することになる。
【００１３】
ＵＡアドレスモードを採用するＭＲＷ“ドラッグアンドドロップ”環境で媒体を使用する間、媒体のコンテンツは付加され、消去され、あるいは変更されることが可能である。これらの変化はＭＲＷユーザ空間内のファイルシステム内で追跡され、ＣＥブリッジはある一定の時期にこれらの変化で更新される必要がある。これを行うため、ブリッジアプリケーションは動作モードを通常モードからＧＡＡモードに切り替える必要がある。
【００１４】
ＭＲＷ“ドラッグアンドドロップ”環境がこれに気付かないとき、例えば、更新のためにＧＡＡ空間がブリッジアプリケーションによって選択され、且つＭＲＷユーザ空間のファイルシステムもまた媒体から読み出しているとき、問題がある。これはデータの破損をもたらす可能性があり、動作モード変化の不便で複雑な追跡を必要とする。
【特許文献１】国際公開第０１／２２４１６号パンフレット
【発明の開示】
【発明が解決しようとする課題】
【００１５】
本発明は、動作モードを変化させることなく通常モードのままで、例えば第２のファイルシステムデータ等の付加情報を媒体に格納／修正する方法を提供することを目的とする。
【課題を解決するための手段】
【００１６】
上記課題に鑑み、背景技術で述べられた種類の装置は本発明の第１の態様に従って、各ブロックをトラックの物理アドレスに位置付けることにより記録を制御する制御手段であって、
−  再マッピング情報に応じて、論理アドレスの物理アドレスへの翻訳及びその逆の翻訳を行うアドレス手段、
−  少なくとも１つの再マッピング領域に関する、ユーザ領域内の或る物理アドレスに当初位置付けられた論理アドレスを前記少なくとも１つの再マッピング領域内の代替物理アドレスに翻訳したことを指し示す、前記再マッピング情報を管理する再マッピング手段、及び
−  付加データを格納する記憶手段であり、
−  付加データに付加データ物理アドレスを割当て、且つ前記付加データ物理アドレスがユーザデータの格納に利用できないことを指し示すように前記再マッピング情報を適合させ、且つ
−  前記付加データを前記付加データ物理アドレスに前記翻訳なしで直接的に書き込む、
ように構成された記憶手段、
を有する制御手段を有する。これにより、動作モードを変えることなく媒体上の付加情報の格納／修正が可能になる。
【００１７】
この装置の一実施形態においては、前記記憶手段はファイルシステムデータを格納するためのものである。これにより、ブリッジ媒体上の第２ファイルシステムデータの作成／更新が可能になる。
【００１８】
この装置の一実施形態においては、前記記憶手段は前記付加データ物理アドレスを前記少なくとも１つの再マッピング領域内の空き物理アドレスに割り当て、且つ前記空き物理アドレスが再マッピングに利用不可能であることを指し示すように前記再マッピング情報を適合させるように構成されている。この実施形態は付加データを格納することがユーザ領域に影響を及ぼさない点で有利である。
【００１９】
この装置の一実施形態においては、前記記憶手段は前記付加データ物理アドレスを前記ユーザ領域内の空き論理アドレスに割り当て、且つ前記空き論理アドレスに対応する物理アドレスが再マッピングを必要とすることを指し示すように前記再マッピング情報を適合させるように構成されている。これは、付加データ用の格納空間を非常に大きく増大させることができる点で有利である。
【００２０】
有利には、前記適合された再マッピング情報は、前記空き論理アドレスに対応する付加データ物理アドレスにある欠陥を指し示す。これは、付加データを消去されることから保護するために使用され得る。
【００２１】
本発明の第２の態様に従った、背景技術で述べられた種類の、情報を記録することに使用する付加情報を格納する方法においては、前記記録することが、
−  各ブロックを記録担体のトラックの物理アドレスに位置付けるステップ、
−  再マッピング情報に応じて、論理アドレスの物理アドレスへの翻訳及びその逆の翻訳を行うステップ、及び
−  少なくとも１つの再マッピング領域に関する、ユーザ領域内の或る物理アドレスに当初位置付けられた論理アドレスを代替物理アドレスに翻訳したことを指し示す、前記再マッピング情報を管理するステップ、
を有し、当該方法は、
−  付加情報に付加情報物理アドレスを割当て、且つ前記付加情報物理アドレスがユーザデータの格納に利用できないことを指し示すように前記再マッピング情報を適合させるステップ、及び
−  前記付加情報を前記付加情報物理アドレスに前記翻訳なしで直接的に書き込むステップを有する。
【００２２】
本発明の第３の態様によれば、付加情報を格納するコンピュータプログラムが提供され、当該プログラムは、本発明の第２の対象に関連して述べられるような方法をプロセッサに実行させるように作用する。
【００２３】
本発明のこれら及び他の態様は、以下に例として記載される実施形態と添付の図面を参照して明らかとなる。
【発明を実施するための最良の形態】
【００２４】
別々の図における対応する要素には同一の参照符号を用いることとする。
【００２５】
図１ａは、トラック9及び中心孔10を有するディスク状の記録担体11の一例を示している。情報（データ）を表す一連の記録された（記録される）マークの位置にあるトラック9は、実質的に平行なトラックを情報層に構成する巻線の螺旋パターンに従って配置されている。記録媒体は光ディスクと呼ばれる光学的に読み取り可能なものとすることができ、記録可能な情報層を有している。記録可能ディスクの例には、ＣＤ−ＲＷ、例えばＤＶＤ＋ＲＷ等の書込可能型ＤＶＤ、青色レーザを用いる高密度書込可能なＢｌｕ-ｒａｙディスク（ＢＤ）と呼ばれる光ディスクがある。情報はトラックに沿った光学的に検出可能なマーク、例えば、相変化材料においては結晶のマーク又は非晶質のマーク、を記録することによって情報層上に表される。記録可能型の記録媒体のトラック9は、無記録の記録担体の製造時に設けられるプリエンボス加工されたトラック構造によって指し示される。トラック構造は、例えば、走査中に読み取り／書き込みヘッドがトラックに追従することを可能にするプリグルーブ14によって構成されている。トラック構造は、通常は情報ブロック又はパケットと呼ばれる情報ユニットの位置を指し示すために、例えばアドレスなどの位置情報を有している。
【００２６】
図１ｂは、記録可能型の記録媒体11の直線ｂ−ｂに沿って取られた断面を示している。透明基板15が記録層16及び保護層17とともに設けられている。保護層17は、例えば、0.6mmの基板にある記録層の背面に0.6mmの更なる基板が接着されているＤＶＤのように、更なる基板層を有してもよい。プリグルーブ14は基板15の材料の凹部若しくは凸部として実現されてもよいし、周囲から外れた物性として実現されてもよい。
【００２７】
図２は、情報を例えばＣＤ−ＲＷ、ＤＶＤ＋ＲＷ又はＢＤ等の媒体11に記録する、本発明に従った記録装置を示している。この装置は記録媒体のトラックを走査する書込手段を備え、該書込手段は記録媒体11を回転させる駆動ユニット21、ヘッド22、ヘッド22をトラック上で半径方向に粗く位置決めする位置決めユニット25を有している。ヘッド22は放射線ビーム24を発生するための公知の光学システムを有し、この放射線ビームは光学素子に導かれ、記録媒体の情報層にあるトラック上の放射線スポット23に集光される。放射線ビーム24は例えば半導体レーザなどの放射線源により生成される。ヘッドはさらに放射線ビームの焦点を該ビームの光軸に沿って移動させるためのフォーカシングアクチュエータ、及び半径方向においてスポット23をトラックの中心に正確に位置決めするためのトラッキングアクチュエータを有する（図示せず）。トラッキングアクチュエータは、光学素子を半径方向に移動させるためのコイルを有してもよいし、その代わりに反射素子の角度を変化させるように構成されてもよい。情報を書き込むため、放射線は光学的に検出可能なマークを記録層に作り出すように制御される。マークは光学的に読み取り可能な如何なる形態にされてもよく、例えば、色素、合金若しくは相変化物質等の材料に記録する場合に得られる、周囲と異なる反射係数を有する領域の形態、又は、磁気光学材料に記録する場合に得られる、周囲とは異なる磁化方向を有する領域の形態にされてもよい。読み取りのため、情報層により反射された放射線が、読み取り信号を生成するためのヘッド22内の、例えば４象限（four-quadrant）ダイオード等の通常形式の検出器によって検出される。また、この検出器は、上記のトラッキングアクチュエータ及びフォーカシングアクチュエータを制御するためのトラッキングエラー信号及びフォーカシングエラー信号を含む更なる検出信号を生成する。読み取り信号は、情報（データ）を取り出すための復調器、デフォーマッター及び出力ユニットを有する通常式の読み取り処理ユニット30によって処理される。故に、情報を読み取るための取り出し手段は、駆動ユニット21、ヘッド22、位置決めユニット25、及び読み取り処理ユニット30を含んでいる。この装置は、ヘッド22を駆動するための書き込み信号を生成するように入力情報を処理する書き込み処理手段を有し、この書き込み処理手段は、（必要に応じての）入力ユニット27と、フォーマッター28及び変調器29を有する変調手段とを有している。書き込み動作中、情報を表すマークが記録担体に形成される。マークは、通常は半導体レーザからの、電磁放射線ビーム24を介して記録層に生成されたスポット23によって形成される。所定のデータフォーマットに従ってデジタルデータが記録担体に格納される。光ディスクに対する情報の書き込み及び読み取り、並びにフォーマット、誤り訂正及びチャンネル符号化規則は、例えばＣＤ及びＤＶＤシステムから、技術的に周知である。入力ユニット27は情報ユニットへの入力データを処理する。処理された信号は、例えば誤り訂正符号（ＥＣＣ）の付加及び／又はインターリーブ等によって、制御データを付加し、且つデータをフォーマットするためにフォーマッター28に渡される。コンピュータアプリケーションでは、情報ユニットはフォーマッターに直接的に結合されてもよく、その場合には選択として、入力ユニット27はこの装置内に存在する必要はない。フォーマッター28の出力からのフォーマット済みデータは変調ユニット29に渡される。変調ユニット29は、例えばチャンネル符号器を有し、ヘッド22を駆動するための変調された信号を生成する。さらに、変調ユニット29は変調された信号に同期パターンを含めるための同期化手段を有している。変調ユニット29の入力に与えられるフォーマット済みユニットはアドレス情報を有しており、制御ユニット20の制御下で記録媒体の対応するアドレス可能位置に書き込まれる。情報の記録と読み取りとを制御する制御ユニット20は、ユーザ又はホストコンピュータから命令を受け取るように構成されてもよい。制御ユニット20は、例えばシステムバスである制御線26を介して入力ユニット27、フォーマッター28、変調器29、読み取り処理ユニット30、駆動ユニット21、及び位置決めユニット25に接続されている。制御ユニット20は、上述のように本発明に従った手順及び機能を果たす、例えばマイクロプロセッサ、プログラムメモリ及び制御ゲートなどの制御回路を有する。制御ユニット20はまた論理回路の状態機械（state  machine）として実装されてもよい。
【００２８】
一実施形態においては、この装置はコンピュータで使用される光ディスクドライブ等の単なる記憶装置である。制御ユニット20はホストコンピュータの処理ユニットと規格化インターフェース（図示せず）を介して通信するように構成される。デジタルデータはフォーマッター28へ直接的にインターフェース接続され、且つ読み取り処理ユニット30から直接的にインターフェース接続される。この場合、インターフェースは入力ユニット及び出力ユニットとして機能し、選択肢として、入力ユニット27はこの装置内に存在する必要はない。
【００２９】
一実施形態においては、装置は例えば民生用のビデオ録画機器等の独立型ユニットとして構成される。制御ユニット20又は当該装置内に含まれる付加的なホスト制御ユニットは、ユーザによって直接的に制御されるように、かつファイルシステムの機能を果たすように構成される。この装置は例えば音声及び／又はビデオ処理回路などのアプリケーションデータ処理を有する。ユーザ情報が入力ユニット27に与えられるが、入力ユニット27はアナログ音声及び／又はビデオ、又はデジタル非圧縮音声／ビデオ等の入力信号に対する圧縮手段を有してもよい。読み取り処理ユニット30は適当な音声及び／又はビデオ復号化ユニットを有してもよい。
【００３０】
読み取り装置は、特定の記録要素を除いて記録装置と同一の要素を有する。例えば、読み取り装置は入力ユニット27、フォーマッター28、変調器29、再マッピングユニット32及び記憶ユニット33を有さない。
【００３１】
制御ユニット20は、各ブロックをトラックの物理アドレスに位置付けることによって読み取りを制御し、且つ後述するように再マッピングするように構成される。制御ユニット20は協働する以下のユニット：アドレスユニット31、再マッピングユニット32及び記憶ユニット33、を有する。これらの協働ユニットは、例えば、ファームウェアに実装される。
【００３２】
アドレスユニット31は再マッピング情報に応じて物理アドレスを論理アドレスに、またその逆に翻訳するためのものである。論理アドレスは、例えばＵＤＦであるファイル管理システムの制御下でファイル等の情報ブロックの系列を格納するために使用される連続的な記憶空間を構成している。
【００３３】
再マッピングユニット32は、少なくとも１つの再マッピング領域に関する再マッピング情報を管理するためのものであり、例えば、再マッピング情報の好適なテーブルを作成し、更新し、且つ保管する。再マッピング情報は、ユーザデータ領域の物理アドレスに当初位置付けられていた論理アドレスを、専用且つ別個のスペア領域に位置付けられ得る、あるいは、より高い論理アドレスのマッピングを適応すること（通常、スリッピングと呼ばれる）により局所的に設けられ得る、代わりの物理アドレスに移動させたことを示すものである。
【００３４】
制御ユニット20は２つのアドレスモード、すなわち、ユーザ領域アドレスモード又は代替アドレスモード、で動作することが可能である。ユーザ領域アドレスモードでは、例えば、ユーザデータや、第１ファイルシステムの規則に従ってユーザデータを指し示すディレクトリ及びファイル項目を有する第１のファイルシステムデータ等の、実使用で使用されるデータと、記録媒体に格納されたコンテンツに関するデータとの読み取り／書き込みが実行される。このモードでは、再マッピングが使用され得る。代替アドレスモードでは、ユーザ領域外の付加データの読み取り／書き込みが再マッピングを用いることなく実行される。付加データの例は、その他のファイルシステムのファイルシステムデータである。
【００３５】
記憶ユニット33は、例えばユーザデータに関する第２のファイルシステムデータ等の、付加データを格納するためのものである。付加データが記憶される必要があるとき、記憶ユニットは物理アドレスを付加データに割当て、アドレスユニット31によって如何なる翻訳もすることなく、付加データを直接的にこの物理アドレス位置に書き込む。さらに、記憶ユニット33は再マッピング情報を適合して、付加データに割り当てられた物理アドレスである付加データ物理アドレスがユーザデータの格納に利用できないことを示す。これにより、ユーザ領域アドレスモードにおいても付加データを記憶させることが可能になる。すなわち、ユーザデータ及び付加データはアドレスモードを変更することなく記録される。
【００３６】
具体的には、読み取り装置において（通常は記録装置においても）、制御ユニットは付加データを付加データ物理アドレスから取り出すための取り出しユニット34を有する。この取り出しユニットは付加データ物理アドレスを、例えば特別なマッピングテーブル、又は再マッピング項目に割り当てられた特別な状態コードから、検出するように構成されている。付加データの格納位置はその他の制御データから知られてもよいし、特定のアプリケーションでは所定の物理アドレス位置に事前設定されてもよい。なお、取り出しユニットは、再マッピング情報は幾つかの物理アドレスがユーザデータの格納に利用できないことを示すが、そのようなアドレスは欠陥ではなく、例えば欠陥リストには挙げられていないということを検出してもよい。
【００３７】
一実施形態において、記憶ユニット33は付加データ物理アドレスをユーザ領域の空き論理アドレスに割り当て、且つ再マッピング情報を適合して、この空き論理アドレスに対応する物理アドレスが再マッピングを必要とすることを示すように構成される。この機能の一例については図４を参照して後述する。
【００３８】
一実施形態において、記憶ユニット33は付加データ物理アドレスを再マッピングに使用されるスペア領域の空き物理アドレスに割り当て、且つ再マッピング情報を適合して、この空き物理アドレスが再マッピングに使用不能であることを示すように構成される。この機能の一例については図５を参照して後述する。
【００３９】
一実施形態においては、再マッピングユニット32は欠陥管理ユニットであり、例えば、記録及び／又は読み取り中にヘッド22からの読み出し信号の品質を監視することによって欠陥を検出する。欠陥はまた取り出された情報ブロック内の誤り率を決定することによって検出されてもよい。欠陥管理ユニットは記録担体上の、例えばＤＶＤ＋ＲＷのようなＤＶＤ記録可能システムのために定められるような欠陥リスト内など、欠陥管理領域内にて欠陥管理情報を保持する。欠陥管理情報は少なくとも再マッピング情報を含む。
【００４０】
図３は欠陥箇所の再マッピングを示している。物理アドレス空間40は水平な直線によって概略的に表されている。一連のブロック42は割り当てられた物理アドレス範囲39内に記録される。しかしながら、割り当てられた物理アドレス範囲に欠陥41が割り込んでいる。再マッピング45は、欠陥のある物理アドレス41に対応する論理アドレスを有するブロック44が欠陥管理領域（ＤＭＡ）43内の代替物理アドレスに格納される処理である。再マッピング情報は、欠陥を示す物理アドレスに初期的に位置付けられた論理アドレスを欠陥管理領域内の代替物理アドレスに翻訳するデータ、例えば、再マッピングされたブロックの論理アドレスとその対応する物理アドレスとを含む欠陥リストの項目、を提供する。他の例では、再マッピング情報は、欠陥の物理アドレスを欠陥管理領域内の異なる物理アドレスに翻訳するためのデータを含んでもよい。
【００４１】
欠陥管理領域は記録領域のレイアウトに従って記録担体上に位置付けられる。レイアウト内において物理アドレスは、ユーザデータ領域の特定の論理アドレス、又は欠陥管理領域若しくはシステム領域等に割り当てられる。レイアウトは予め定められてもよいし、システム領域に含まれるパラメータに従って定められてもよい。欠陥管理情報は、少なくとも１つのユーザデータ領域へのトラックの第１部分の物理アドレスの割当て、欠陥管理領域へのトラックの第２部分の物理アドレスの割当て、及び欠陥管理領域への欠陥管理情報の割当て、を示す割当て情報を含んでもよい。欠陥管理領域への欠陥管理情報の割当ては、例えば第１欠陥リスト及び第２欠陥リスト等の欠陥管理領域、又は特定種類の欠陥のための置換領域の使用を示すものである。
【００４２】
図４は、ユーザデータの再マッピングを介しての付加データの格納を示している。記録担体の記録可能領域51が概略的に示されており、記録可能領域51は物理アドレスを介してアクセス可能にされている。記録領域は論理的に細分化されて導入部52で始まっており、ユーザ領域53とスペア領域55とがそれに続いている。記録領域は導出部（図示せず）によって終端されていてもよい。実際には、スペア領域の位置は異なっていてもよいし、幾つかのスペア領域が含まれていてもよい。例えば、導入領域の直後の内側半径位置にインナースペア領域（ＩＳＡ）があり、導出領域の直前の外側半径位置にアウタースペア領域（ＯＳＡ）があってもよい。さらに、多層ディスクにて、各層が１つ又は複数のスペア領域を有してもよい。スペア領域の全体量は記録担体のデータ格納領域全体の十分な部分、例えば50%とされてもよく、多量の欠陥や上書きの管理と、及び本発明を介して付加データ若しくは付加データの更新の管理とが可能にされる。
【００４３】
付加データ54は、論理アドレスを物理アドレスに翻訳することなく直接的にユーザ領域の付加データ物理アドレス位置に格納されている。この目的のため、物理アドレスに直接書き込む特別な書き込み命令（実時間データを書き込むためのものであり、ストリーミング書き込みと呼ばれることがある）が使用され得る。再マッピング情報57は、付加データ物理アドレスに当初対応していた論理アドレスが、その論理アドレス位置に格納された如何なるユーザデータをも含むように新たな位置56に再マッピングされたことを示す。導入部52は、この論理アドレス又は物理アドレスに対する置換項目を含む更新された欠陥リストを含んでもよい。
【００４４】
実際の実施形態においては、第２のファイルシステムデータ又はその他の特定の付加データが、欠陥テーブル内の宣言された欠陥であるユーザ領域位置に書き込まれる。この位置への如何なる通常の書き込みも置換をもたらし、ユーザデータは置換アドレス位置に物理的に書き込まれる。図４に示されるように、元の位置は付加データを格納し、置換位置はアプリケーションの通常のユーザデータを格納する。書き込まれたユーザデータをアプリケーションが次に要求するとき、置換位置からのデータが戻される。付加データを認識するアプリケーションは、物理アドレスを直接的に読み取る特別な読み出し命令（実時間データを読み出すためのものであり、ストリーミング読み出しと呼ばれることがある）を用いてこれらのデータを取り出すことが可能である。
【００４５】
図５は、再マッピング領域への付加データの格納を示している。図４のように、記録担体の記録可能領域51が概略的に示されており、記録可能領域51は導入部52で始まっており、ユーザ領域53とスペア領域55とがそれに続いている。付加データ62は再マッピング領域すなわちスペア領域55の付加データ物理アドレス位置に格納されている。再マッピング情報63はこの付加データ物理アドレスが使用不能であること、すなわち、再マッピングに使用不能であることを示す。通常のユーザデータ61はユーザ領域内の元の位置に格納されてもよい。導入部の欠陥リストにて、ユーザデータ61の論理アドレスに元々割り当てられていた置換項目は、この場合、置換物理アドレスが欠陥であることを示すように変更されてもよい。
【００４６】
実際の実施形態においては、第２のファイルシステムデータ又はその他の特定の付加データが、特別な命令によって、スペア領域内の空き置換アドレスに直接的に書き込まれる。この物理アドレスに対する上書き又は再使用を回避するため、この置換アドレスは使用不能であると欠陥テーブル内にて宣言される。
【００４７】
実際の実施形態においては、制御ユニットは、例えばＤＶＤ＋ＲＷディスク等の書換え可能媒体の初期化、フォーマット及び欠陥管理を実行することができる。このようなディスクの単純化されたレイアウトの一例が図６ｂに示されている。このレイアウトは導入領域ＬＩ、導出領域ＬＯ、一般アプリケーション領域ＧＡＡ、スペア領域ＳＡ（この例では、２つの副領域ＳＡ１及びＳＡ２を有している）、ユーザ領域ＵＡ、並びにテーブル領域ＭＴＡ及びＳＴＡを有している。ＬＩ及びＬＯは主に媒体の読み取り／書き込み定義データ及び管理（administration）データを格納している。ユーザ領域ＵＡは主に、例えばユーザデータ、並びに第１ファイルシステムの規則に従ってユーザデータを指し示すディレクトリ及びファイル項目を含む第１ファイルシステムデータなどの、実使用で使用されるデータと記録媒体に格納されるコンテンツに関するデータとを記録するために使用される。一般アプリケーション領域ＧＡＡは、欠陥に対処可能なアプリケーションプログラム若しくはデバイスドライバ、又は更なるファイルシステムのファイルシステムデータ等の、欠陥管理による置換を許さないデータの格納に使用され得る。欠陥管理は、主テーブル領域ＭＴＡに格納された主欠陥テーブルＭＤＴ、第２テーブル領域ＳＴＡに格納された第２欠陥テーブルＳＤＴ、及びスペア領域ＳＡ１、ＳＡ２に含まれる置換領域（パケット）に基づく。第２欠陥テーブルは主欠陥テーブルの複製であり、ＳＤＴはＭＤＴと同一情報を含んでいる。ＳＴＡはＭＴＡに問題がある場合の冗長性として、また、非ＭＲＷ型のＰＣシステムがこれらのテーブルを使用することができ、アドレス再マッピング手段が（非ＭＲＷドライブによって解釈できない）欠陥管理再割当てを補償するようにアドレス空間を論理的に構築することを保証するために使用される。主テーブル領域ＭＴＡは導入領域ＬＩ内に位置している。図６ｂに示される形式のレイアウトを有する記録媒体は一般に、図６ａに示される例のようなレイアウトを有する“非ＭＲＷ”媒体とは対照的に、マウントレーニア書換え可能（ＭＲＷ）媒体、例えばＣＤ−ＭＲＷ又はＤＶＤ＋ＭＲＷ、と呼ばれている。ＤＶＤ＋ＭＲＷ記録媒体の場合、ＧＡＡ、ＳＡ１及びＳＡ２はそれぞれ2、8及び120Mバイトの大きさを有している。
【００４８】
ＭＲＷの定義に基づき、ＰＣ上で再マッピングドライバをインストールすることにより、ＭＲＷ媒体が非ＭＲＷ対応ドライバを用いて読み取られることが保証され得る。この再マッピングドライバは、とりわけ、ＧＡＡ内のファイルシステムが、このドライバをインストールしたりインターネットからダウンロードしたりするアプリケーションを起動するようにＧＡＡを用いることにより、容易に得ることができる。非ＭＲＷを認識するＣＥ機器のコンバージェンスに対して、ＣＥ機器によって一般に認識されるコンテンツをアドレスすることを可能とするために、同一又は異なるファイルシステム（一般に、ＩＳＯ９９６０又はＵＤＦ）が使用され得る。これは、ＣＥ機器に知られる、第２ファイルシステムデータとも呼ばれるＧＡＡに格納されたファイルシステムデータを用いて、ＭＲＷ媒体のＵＡに格納されたマルチメディアコンテンツを指し示すことによって行われる。再マッピングドライバに関するタスクを実行するための追加ファイルシステムがＧＡＡ内に存在してもよい。
【００４９】
欠陥テーブルは、欠陥管理を実行するのに使用可能な情報を格納している。具体的には、欠陥テーブルは、欠陥管理の規則に従って媒体の検査中又は使用中に欠陥であると決定された欠陥領域（パケット）のリストを含んでいる。さらに、欠陥テーブルは欠陥領域の置換として使用されるように予約された置換領域（パケット）のリストを含んでいる。欠陥領域及び置換領域は媒体上のそれらのアドレスによって参照される。欠陥テーブル内の相異なるフラグ又は状態ビットが、例えばデータ記録のための有用性といった、それらの領域の特徴を示す。欠陥テーブルはまた欠陥管理が動作すべきでない媒体領域に関する、例えばＧＡＡの大きさ及び位置等の情報を含んでもよい。
【００５０】
一実施形態において、記憶ユニット33は媒体の一部に対して、それを欠陥管理下でのデータ記録以外の使用のために予約するため、使用不能として欠陥テーブル内でマークを付すように適合される。具体的には、記憶ユニット33は媒体のこの部分に第２ファイルシステムデータを記録するように適合され、それらのデータはユーザデータにアクセスする“非ＭＲＷ”機器又はシステム（一般に、欠陥管理機能がない、あるいは別個に構築された欠陥管理機能を有する）によって用いられ得る。第２ファイルシステムがＣＥ機器又はＭＲＷ知識のない如何なる機器にも組み込まれることを可能にするため、（アンカー・ボリューム・デスクリプタ・ポインタＡＶＤＰのような）第２ファイルシステムの少なくとも基本構造は標準的なＧＡＡにあることが常に必要とされる。これは、機器がＧＡＡモードにある時のフォーマット段階で実行され得る。
【００５１】
一実施形態において、使用不能として欠陥テーブル内でマークを付された媒体の部分は、所謂、仮想一般アプリケーション領域VＧＡＡのために割り当てられ、この割当てに関する情報が媒体、例えば欠陥テーブル、に記録される。これは効果的にＧＡＡの大きさを増すものである。記憶ユニット33は、図４及び５を参照して上述されたように物理アドレスに直接的に書き込むための特別な書き込み命令を用いて、VＧＡＡに付加データを書き込む。
【００５２】
ＣＥブリッジを使用することができるＭＲＷ媒体上で、ユーザファイルはこれらのファイルに関するファイルシステム情報（データ）とともにＵＡに記録される。これは、通常のＭＲＷ媒体で行われるのと完全に同じである。
【００５３】
拡大されたＧＡＡはＵＡに存在するユーザファイルの“ＣＥ適合された”ビューを提示するために使用可能である。これが意味することは、ＵＡ内のデータファイルへのリンクを有するファイルシステム構造（第２ファイルシステムデータ）が、ＣＥの要求に従って、拡大されたＧＡＡ内に作成されるということである。例えば、ＵＡ内にＤＶＤ構造化データが存在する場合、ＤＶＤ（＋ＶＲ）規格に従ったファイルシステム構造が作成される。このファイル構造に基づいて、この“ＣＥに使用可能なＭＲＷ媒体”は全ての（ＣＥ）ＤＶＤプレーヤにて再生されることになる。ＣＥ機器で興味あるその他のデータ（例えば、マルチメディアファイル又はメタデータファイル等）も同様にＧＡＡのファイルシステム構造に含まれ得る。様々なマルチメディアファイルに対する所定のディレクトリレイアウトはこのファイルシステム構造内に定義され得る。例えば、ＵＡ内の全ＭＰ３ファイルが、それらがＵＡ内に置かれているディレクトリに関係なく、ＣＥ機器の視点からＭＰ３と呼ばれる単一のディレクトリに現れることができる。同様にして、全ＪＰＥＧファイルがＪＰＥＧ又はフォトと呼ばれるディレクトリに置かれ得る。当然ながら、例えば元の位置やこれらのファイルの作成データに基づいて、それらのディレクトリ内に更なるディレクトリ構造を有することもやはり可能である。この手法の利点は、興味ある全てのファイルを発見するのに、ＣＥ機器は多量のディレクトリツリーをくまなく探す必要がないということである。ＣＥの視点からの全ての興味ファイルが、媒体に存在するファイル形式に基づいて、１つのディレクトリ（例えば、マルチメディア）又は限られた数のみのディレクトリに現れ得る。
【００５４】
ＵＡ内のファイル数が非常に多く、関連するファイルシステムがかなり複雑な場合がある。この場合、ＵＡ内のコンテンツに対する容易なアクセス、再生及び格納のために、ＭＰＶのようなソリューションに基づく特別な再生リスト及びメタデータが用いられてもよい。媒体に格納されたＭＰＶ情報は、上述のようにＵＡ及び／又はＧＡＡに格納された、ただしこの場合は媒体上のＭＰＶアプリケーションのための、自動起動アプリケーションを用いることによりＰＣ環境におけるデータの整合性（integrity）を回復するのに使用可能であるので、このようなソリューションは、ＭＰＶ信号を処理可能な、非ＭＲＷ認識ＣＥ機器の“書き込み”機能を可能にし得る。
【００５５】
一実施形態において、記憶ユニット33は欠陥テーブル内で、スペア領域ＳＡの少なくとも一部を使用不能として指し示し、且つその中に第２ファイルシステムデータを記録するように適合される。
【００５６】
先ず、ＭＤＴからの情報に基づいてＳＡ１（ＳＡ２）のコンテンツを空き領域に移動させることにより、ＳＡ１（ＳＡ２）内の空間が解放される。これは、例えば、機器のバックグラウンド動作によって行われ得る。あるいは、“通常の”ＭＲＷレイアウトを以下のような特別なレイアウトに変換する特別なフォーマット命令によってもたらされ得る。欠陥テーブルにて、解放されたＳＡ位置は使用不能であるとしてマークを付される。結果として、これらの位置はＭＲＷシステムにおいて上書きされないこととなる。これらの位置はＧＡＡ空間にVＧＡＡとして追加される。ＧＡＡのこの大きさ及びレイアウトの変化は、このコンバージェンス・ソリューションを知るシステムにて将来的に再使用するために媒体に記憶され得る。コンバージェンス・ファイルシステム（第２ファイルシステム）がＵＡ内のコンテンツ後に特別なファイルを必要とする場合、これらはＧＡＡ空間に付加されたＳＡ２部分に記録され得る。
【００５７】
ＳＡ１空間全体をVＧＡＡに割り当てることは、第２ファイルシステムデータを格納するために追加の８Mバイトを生じさせる。これは、第２ファイルシステムがＵＤＦの場合、約4000の追加ファイル／ディレクトリ項目を意味する。必要に応じて、ＳＡ２空間の一部又は120Mバイト全体がこの目的のために使用され得る。
【００５８】
代替的に、あるいはＳＡからの空間に加えて、ＵＡの一部もまたVＧＡＡに割り当てられ、第２ファイルシステムデータの記録に用いられてもよい。
【００５９】
これは、ＵＡ内のフィルシステムに利用可能なユーザ領域を変えること、ファイルシステム空間の一部を使用不能にすること、又はファイルシステム割当て空間から一部を取り出すこと、によって達成され得る。次に、解放された空間が、例えば解放されたアドレスの特別なテーブルによって、ＧＡＡ空間に付加され得る。この特別なテーブルは欠陥テーブルに含められ得る。
【００６０】
他の一実施形態では、記憶ユニット33は欠陥テーブル内でユーザ領域ＵＡの一部を使用不能であるとして指し示し、且つその中に第２ファイルシステムデータを記録するように適合される。ＵＡ内にＧＡＡを拡張することは、上述のようにＳＡ内にＧＡＡを拡張することとほぼ同一の手法で行われるが、この場合、ＵＡの先頭部分（又はその他の部分）のコンテンツをＳＡ内の空いている位置（例えば、ＳＡ１が既にVＧＡＡに割り当てられている場合にはＳＡ２内）に複製し、関連する欠陥テーブルの入力項目をＭＤＴ（及びＳＤＴ）内に作成し、且つ欠陥テーブル内で元のＵＡ位置を使用不能としてマークを付すことによる。当然ながら、ＵＡの上記部分にデータが存在しない場合には、上記コンテンツの複製は不要である。これにより、ＧＡＡをこれらの解放された位置に拡大することが可能になり、このようにして、例えば100Mバイトの空間がVＧＡＡとしてＧＡＡに容易に付加され、故に、ＣＥコンバージェンスに使用される（第２）ファイルシステムデータの大きさに関するほぼ全ての使用制限を破棄することが可能となる。
【００６１】
実際の一実施形態においては、書き込み命令は以下のようである。書換え可能光ディスクのマウントレーニア規格では、興味ある２つの読み出し命令と２つの書き込み命令とが存在する。これらは所謂Read10及びRead12コマンドとWrite10及びWrite12コマンドである。Read10及びWrite10はＵＡ内のデータにアクセスするための通常の読み出し及び書き込み命令である。マウントレーニア型ドライブはこれらの命令に与えられたアドレスを分析し、適用可能である場合、置換型欠陥管理を適用する。（ストリーミングフラグセットを伴う）Read12及びWrite12はＵＡ内のデータにアクセスするためのストリーミング読み出し及びストリーミング書き込み命令と呼ばれている。これらは‘物理的読み出し’及び‘物理的書き込み’として見ることも可能である。マウントレーニア型ドライブは如何なる欠陥管理をも適用せず、ディスク上にて欠陥に遭遇しても如何なる欠陥フラグを返すことなく、単に、命令にて与えられたアドレス範囲から読み出した全データを返すのみである。データの書き込みに関しても同じことが当てはまる。Read12及びWrite12は、図４を参照して上述されたような、データに直接的にアクセスするための特別な命令の例である。
【００６２】
他の例では、データへの直接アクセスは、論理アドレスを表すために正の番号を用いる通常の命令とは対照的に、物理アドレスを表すために負の番号を用いる特別な読み出し／書き込み命令によって実行される。
【００６３】
他の例では、既存のRead10／Write10コマンドに物理アドレスを表す追加ビットが付加され得る。
【００６４】
実際の一実施形態においては、VＧＡＡとして割り当てられたＵＡの部分はＳＡ１と同一の大きさを有する。この部分への如何なる通常の読み出し／書き込みもＳＡ１に再マッピングされ、一方、特別な直接読み出し／書き込みはVＧＡＡ内のデータにアクセスするために使用される。
【００６５】
VＧＡＡはＵＡの如何なる部分にも位置することができ、また、複数のセクションに分割されることもできる。一実施形態においては、記憶ユニット33は第１のファイルシステム割当て空間からＵＡの一部を選択し、それをＧＡＡ空間に付加するように適合される。このことは、ユーザデータは第１ファイルシステムの管理下でＵＡのこの部分に格納されることができないことを意味している。この部分は、欠陥テーブルに含まれる解放されたアドレスの特別なリストによってＧＡＡに付加され得る。
【００６６】
一実施形態においては、記憶ユニット33はＵＡの幾つかの部分をVＧＡＡとして割り当てるように適合される。
【００６７】
一実施形態においては、記憶ユニット33は、付加データを格納するのに必要なVＧＡＡ空間の量が、例えばフォーマットの際に、元々予期されていた量より大きいとき、ＵＡを犠牲にしてより多くの空間をVＧＡＡに動的に割り当てるように適合される。
【００６８】
記憶ユニット33及び取り出しユニット34の機能は、例えば、ディスクドライブを制御するホストコンピュータのコンピュータプログラムとしてなど、別個の機器に付加データを格納する処理として実行されることが可能である。このドライブは、各ブロックをトラックの物理アドレスに位置付け、再マッピング情報に応じて論理アドレスを物理アドレスに、またその逆に、翻訳することにより、記録担体上の論理アドレスを有するブロックに対する情報の物理的な記録及び取り出しに対応する。
【００６９】
本発明に従ったコンピュータプログラムの一実施形態は、コンピュータの制御回路20又はプロセッサに、上記記録機器の実施形態を参照して述べられたような方法及び機能を実行させる働きをする。
【００７０】
本発明はその好適な実施形態を参照して説明されてきたが、これらの実施形態は限定的な例でないことは理解されるべきである。故に、請求項及び実施形態によって定められるような本発明の範囲を逸脱することなく、様々な変更が当業者に明らかになるであろう。さらに、本発明は上述の各々且つ全ての、特徴又は特徴の組み合わせにある。また、記憶媒体に関して光ディスクが説明されてきたが、例えば磁気光学ディスク又は磁気テープ等のその他の媒体も使用され得る。本発明はコンピュータプログラムを実行する汎用プロセッサ、専用ハードウェア、又は双方の組み合わせによって実施されてもよい。また、“有する”という用語は列挙された以外の要素又はステップの存在を排除するものではなく、要素の不定冠詞“或る”はそのような要素が複数存在することを排除するものではなく、また、如何なる参照符号も請求項の範囲を限定するものではない。さらに、“手段”は単一品目又は複数品目によって表されてもよく、幾つかの“手段”がハードウェアの同一品目によって表されてもよい。
【図面の簡単な説明】
【００７１】
【図１ａ】記録媒体を示す上面図である。
【図１ｂ】記録媒体を示す断面図である。
【図２】本発明に従った記録装置を示す図である。
【図３】欠陥位置の再マッピングを示す図である。
【図４】本発明に従った、ユーザデータの再マッピングを介しての付加データの格納を示す図である。
【図５】本発明に従った、再マッピング領域への付加データの格納を示す図である。
【図６ａ】非ＭＲＷ媒体の簡略化したレイアウトを示す図である。
【図６ｂ】ＭＲＷ媒体の簡略化したレイアウトを示す図である。
【図１ａ】
2008505425.tif 000003
【図１ｂ】
2008505425.tif 000004
【図２】
2008505425.tif 000005
【図３】
2008505425.tif 000006
【図４】
2008505425.tif 000007
【図５】
2008505425.tif 000008
【図６ａ】
2008505425.tif 000009
【図６ｂ】
2008505425.tif 000010
【国際調査報告】
2008505425.tif 000011
2008505425.tif 000012
2008505425.tif 000013
2008505425.tif 000014